(57)【要約】【課題】ネットワーク初期化接続解放工程を処理する装置及び方法を提供する。【解決手段】無線モジュールとコントローラーモジュールを有する移動通信装置が提供される。無線モジュールは、接続解放メッセージを受信し、無線ネットワークの接続モードを離れる。接続解放メッセージに応答するコントローラーモジュールは、マルチメディアブロードキャストとマルチキャストサービス（ＭＢＭＳ）の無線リソースを、非解放状態に維持し、ＭＢＭＳサービス以外の全無線リソースを解放する。その後、コントローラーモジュールはアイドルモードに移行する。【選択図】図５
2011199869.tif 000002
【特許請求の範囲】
【請求項１】
移動通信装置であって、
接続解放メッセージを受信し、無線ネットワークの接続モードを離れる無線モジュールと、
接続解放メッセージに応答し、マルチメディアブロードキャストとマルチキャストサービス（ＭＢＭＳ）の無線リソースを、非解放状態に維持し、前記ＭＢＭＳサービス以外の全無線リソースを解放し、アイドルモードに移行するコントローラーモジュールと、
を含むことを特徴とする移動通信装置。
【請求項２】
前記コントローラーモジュールは、更に、前記接続モードを離れた後、前記の同じＭＢＭＳサービスを得ることを特徴とする請求項１に記載の移動通信装置。
【請求項３】
前記コントローラーモジュールは、更に、前記無線ネットワークからの特定のメッセージに従って、前記接続モードを離れた後、前記の同じＭＢＭＳサービスを提供するセルを選択することを特徴とする請求項２に記載の移動通信装置。
【請求項４】
前記特定のメッセージは、システム情報、ＲＲＣ接続再設定メッセージ、接続解放メッセージ、又は、ＭＢＭＳ専用メッセージであることを特徴とする請求項３に記載の移動通信装置。
【請求項５】
前記ＭＢＭＳ専用メッセージは、ＭＢＳＦＮＡｒｅａＣｏｎｆｉｇｕｒａｔｉｏｎメッセージであることを特徴とする請求項４に記載の移動通信装置。
【請求項６】
前記コントローラーモジュールは、更に、前記接続モードを離れた後、それが最後に接続されるセルを選択することを特徴とする請求項１に記載の移動通信装置。
【請求項７】
ワイヤレスネットワークの移動通信装置により、ネットワーク初期化接続解放工程を処理する方法であって、
接続解放メッセージを受信し、無線ネットワークの接続モードを離れるステップと、
前記接続解放メッセージに応答し、マルチメディアブロードキャストとマルチキャストサービス（ＭＢＭＳ）の無線リソースを、非解放状態に維持し、前記ＭＢＭＳサービス以外の全無線リソースを解放するステップと、
アイドルモードに移行するステップと、
含むことを特徴とする方法。
【請求項８】
更に、前記アイドルモードを離れた後、前記の同じＭＢＭＳサービスを得るステップを含むことを特徴とする請求項７に記載の方法。
【請求項９】
更に、前記無線ネットワークからの特定のメッセージに従って、前記の同じＭＢＭＳサービスを提供するセルを選択するステップを含むことを特徴とする請求項８に記載の方法。
【請求項１０】
前記特定のメッセージは、システム情報、ＲＲＣ接続再設定メッセージ、接続解放メッセージ、又は、ＭＢＭＳ専用メッセージであることを特徴とする請求項９に記載の方法。
【請求項１１】
前記ＭＢＭＳ専用メッセージは、ＭＢＳＦＮＡｒｅａＣｏｎｆｉｇｕｒａｔｉｏｎメッセージであることを特徴とする請求項１０に記載の方法。
【請求項１２】
更に、前記接続モードを離れた後、それが最後に接続されるセルを選択するステップを含むことを特徴とする請求項７に記載の方法。
【発明の詳細な説明】
【技術分野】
【０００１】
本発明は、接続解放工程の処理に関するものであって、特に、マルチメディアブロードキャストとマルチキャストサービス（ＭＢＭＳ）を受信するユーザーのために、ネットワーク初期化接続解放工程を処理する装置及び方法に関するものである。
【背景技術】
【０００２】
一般の移動通信環境中、ユーザー装置（ＵＥ）は、サービスネットワークのセルラー局により、一つ、又は、それ以上のサービスネットワークと、音声、及び／又は、データ信号の通信を実行する。ＵＥとサービスネットワーク間の無線通信は、様々な無線技術、例えば、グローバルシステムフォーモバイルコミュニケーション（ＧＳＭ）技術、汎用パケット無線通信システム（ＧＰＲＳ）技術、広域展開用高速データレート技術、広帯域符号分割多重アクセス方式（ＷＣＤＭＡ）技術、符号分割多重アクセス方式２０００（ＣＤＭＡ２０００）技術、時分割複信−符号分割多重アクセス方式（ＴＤ−ＳＣＤＭＡ）技術、ワイマックス（ＷｉＭＡＸ）技術、ロングタームエボリューション（ＬＴＥ）技術等に準拠する。ユーザー装置（ＵＥ）の無線リソース制御（ＲＲＣ）状態は、アイドルモード（ＲＲＣ＿ＩＤＬＥ）、又は、接続モード（ＲＲＣ＿ＣＯＮＮＥＣＴＥＤ）である。ＲＲＣ接続が確立される時、ＵＥはアイドルモードを離れ、接続モードに移行し、ＲＲＣ接続を解放する時、ＵＥは接続モードを離れ、アイドルモードに移行する。言い換えると、ＲＲＣ接続が確立される時、ＵＥは接続モードで、確立されるＲＲＣ接続がない場合、ＵＥはアイドルモードである。
【０００３】
アイドルモード中のＵＥは、更に、セル選択と再選択を実行し、どのセルが留まるか決定する。セル（再）選択プロセスは、各応用できる無線アクセス技術（ＲＡＴ）の各応用できる周波数の優先順序、無線リンク品質とセル状態（即ち、セルが拒まれる、又は、保留されるか）の重要性を考慮に入れる。アイドルモード中のＵＥは、更に、ページングチャネルを監視して、着呼を検出し、システム情報を得る。システム情報は、主に、ネットワークがセル（再）選択プロセスを制御できるパラメータからなる。
【０００４】
ＬＴＥ技術を例とする。ＵＥが起動後、接続確立工程を実行して、ＬＴＥネットワークを接続する必要があり、ＬＴＥネットワークから、パケットデータサービスを得ることができる。接続確立工程の目的は、（ＲＲＣ）接続を確立することである。図１で示されるように、接続確立工程は、ＵＥにより、接続要求メッセージをＬＴＥネットワークに伝送して開始し、ＲＲＣ接続の確立を要求する（ステップＳ１１０）。接続要求メッセージを受信する時、ＬＴＥネットワークは、確立原因と、例えば、ｅＮＢの負荷のネットワークの負荷が適合するか検査する（ステップＳ１２０）。全ての検査がパスする場合、ＬＴＥネットワークは、ＣＯＮＮＥＣＴＩＯＮ  ＳＥＴＵＰメッセージをＵＥに伝送することにより、接続要求を受け入れる（ステップＳ１３０）。ＣＯＮＮＥＣＴＩＯＮ  ＳＥＴＵＰメッセージに応答して、ＵＥは、設定情報に従って、論理リンクとベアラを確立し（ステップＳ１４０）、ＣＯＮＮＥＣＴＩＯＮ  ＳＥＴＵＰ  ＣＯＭＰＬＥＴＥメッセージをＬＴＥネットワークに伝送し（ステップＳ１５０）、それが既に、ＣＯＮＮＥＣＴＩＯＮ  ＳＥＴＵＰメッセージを受信したことを承認すると共に、ＲＲＣ接続確立の正常終了を確認する。ＣＯＮＮＥＣＴＩＯＮ  ＳＥＴＵＰ  ＣＯＭＰＬＥＴＥメッセージの受信成功後、接続確立工程が終了する。その後、接続解放工程が初期化され、ＬＴＥネットワークから確立された接続を解放する。
【０００５】
ＵＥが、接続モード、又は、アイドルモードであっても、ＭＢＭＳサービスに興味があるＵＥは、ＭＢＳＦＮＡｒｅａＣｏｎｆｉｇｕｒａｔｉｏｎメッセージに基づいて、ＭＢＭＳ無線リソースを設定する。特に、ＵＥは、まず、システム情報を受信して、ＭＣＣＨ設定を得て、ＭＣＣＨ上で、ＭＢＳＦＮＡｒｅａＣｏｎｆｉｇｕｒａｔｉｏｎメッセージを得て、その後、ＭＢＭＳ無線リソース設定値を得て、即ち、このメッセージからのＭＴＣＨ情報である。
【０００６】
図２は、ＬＴＥネットワークにより初期化される接続解放工程を示すメッセージシーケンスチャートである。接続解放工程は、各種原因のため、ＬＴＥネットワークにより初期化され、各種原因は、ユーザー装置とコアネットワーク間のトランザクションの完成、詳細不明のエラー、ユーザーの不動作、ＵＥとの間の無線接続喪失等である。始めに、ＬＴＥネットワークは、まず、接続解放メッセージをＵＥに伝送して、ＵＥに、ＬＴＥネットワークからのＲＲＣ接続を解放するように要求する（ステップＳ２１０）。接続解放メッセージ受信時、ＵＥは、パケットサービスに確立された論理リンクとベアラを解放する（ステップＳ２２０）。
【０００７】
接続解放工程が用いられて、確立された接続を解放し、接続は、確立された無線ベアラと全無線リソースの解放を含む。言い換えると、接続モードを離れる時、ＵＥは、全無線リソースを解放する。
【発明の概要】
【発明が解決しようとする課題】
【０００８】
本発明は、ネットワーク初期化接続解放工程を処理する装置及び方法を提供することを目的とする。
【課題を解決するための手段】
【０００９】
本発明の実施形態は、ネットワーク初期化接続解放工程を処理する装置と方法を提供する。本発明の一態様中、無線モジュールとコントローラーモジュールを有する移動通信装置が提供される。無線モジュールは、接続解放メッセージを受信し、無線ネットワークの接続モードを離れる。接続解放メッセージに応答するコントローラーモジュールは、マルチメディアブロードキャストとマルチキャストサービス（ＭＢＭＳ）の無線リソースを、非解放状態に維持し、ＭＢＭＳサービス以外の全無線リソースを解放する。その後、コントローラーモジュールはアイドルモードに移行する。
【００１０】
本発明の別の態様中、無線ネットワークの移動通信装置によるネットワーク初期化接続解放工程の処理方法が提供される。本方法は、接続解放メッセージを受信し、無線ネットワークの接続モードを離れるステップと、接続解放メッセージに応答し、マルチメディアブロードキャストとマルチキャストサービス（ＭＢＭＳ）の無線リソースを、非解放状態に維持し、ＭＢＭＳサービス以外の全無線リソースを解放し、アイドルモードに移行するステップと、を含む。
【発明の効果】
【００１１】
ネットワーク初期化接続解放工程を処理する装置及び方法が提供され、公知の問題を解決する。
【図面の簡単な説明】
【００１２】
【図１】ＵＥにより、ＬＴＥネットワークにアクセスするために実行される接続確立工程を示すメッセージシーケンスチャートである。
【図２】ＬＴＥネットワークにより初期化される接続解放工程を示すメッセージシーケンスチャートである。
【図３】本発明の実施形態による移動通信環境を示す図である。
【図４】本発明の実施形態による接続解放工程を示すメッセージシーケンスチャートである。
【図５】本発明の実施形態による移動通信装置により、ネットワーク初期化接続解放工程を処理する方法を示すフローチャートである。
【発明を実施するための形態】
【００１３】
以下の記載は、本発明を運用する最適なモードを示す。本明細書の描写は本発明の主要原則を示し、実際に応用する実施例は本明細書の描写に制限されない。３ＧＰＰ仕様は本発明の精神を教示するためのものであり、本発明に限定するものではない。
【００１４】
ＷＣＤＭＡネットワーク、又は、ＬＴＥネットワークは、フェムトセルを含み、フェムトセルは、通常、住居、又は、小さいビジネス環境のためにデザインされ、ＷＣＤＭＡ技術、又は、ＬＴＥ技術を用いて、無線被覆範囲をＵＥに提供し、ＵＥとバックホールの存在するブロードバンドインターネット接続（例えば、デジタル副搬送波線（ＤＳＬ）、ケーブル等）と通信する。マルチメディアブロードキャストマルチキャストサービス（ＭＢＭＳ）は、既に、ＬＴＥ仕様に導入され、ＴＶ、フィルム、情報、例えば、デジタル形式の新聞の無料夜間伝送やその他の媒体は、ネットワーク内で、放送、又は、マルチキャストされる。ＭＢＭＳは、データ伝送におけるデータソースから複数のユーザーへのポイントツーマルチポイントサービスである。ＭＢＭＳは、ネットワークリソース（コアネットワークとアクセスネットワークを含む）の共用を実現することができ、最小のリソース使用下で、同じ要求を有する可能なマルチメディアユーザーと同数のサービスを提供することができる。ＭＢＭＳ  ＰＴＭ無線ベアラ構成手順は、一つ、又は、それ以上のＭＢＭＳサービスを受信することに興味があるＵＥに用いられて、ＭＲＢの受信を開始、又は、停止後に、無線リソース、例えば、ＲＬＣ、ＭＡＣ、及び、物理層を設定する。ＵＥは、ＭＲＢ確立工程を適用して、それが興味のあるサービスのセッションの受信を開始し、ＭＲＢ解放工程を適用して、セッションの受信を停止する。ＭＲＢ解放工程は、例えば、ＭＢＭＳセッションの停止後、対応するＭＢＳＦＮサービス領域を離れた後、ＭＢＭＳサービスへの興味を失った後、又は、システム能力制限が興味のあるサービスの受信の抑止を開始する時、初期化される。
【００１５】
注意すべきことは、上述の公知の接続解放工程中、接続モードを離れる時、ＵＥは全無線リソースを解放することである。一般に、ＵＥは、接続モード（即ち、ＲＲＣ＿ＣＯＮＮＥＣＴＥＤ）とアイドルモード（即ち、ＲＲＣ＿ＩＤＬＥ）で、ＭＢＭＳサービスを得る。接続モード下で、ＭＢＭＳサービスを得るＵＥが、アイドルモードに移行する時にも、同じＭＢＭＳサービスを得ることを望む場合、それは、ＭＢＭＳ無線リソースを解放して、同じＭＢＭＳリソースを再度、再設定する必要がある。この場合、ＵＥは、正常なパケットデータサービスを得ることができず、また、余分な遅延があり、よって、ユーザーの感覚を損害する。例えば、ユーザーがアイドルモード下で、２時間の映画を見て、周期的なトラッキング領域の更新タイマーが期限切れになる時、ＵＥは、接続モードに移行して、トラッキング領域更新工程を実行する必要があり、この工程は、その現在のトラッキング領域から出る時に、ＵＥがネットワークをその新しい位置に更新する工程である。トラッキング領域更新工程後、ＵＥは、再度、アイドルモードに戻る。周期的なトラッキング領域の更新タイマーのデフォルト値は約５８分なので、映画は、少なくとも２、３回、中断する。この問題を解決するため、本発明は、ＵＥがＭＢＭＳサービスを受信するために、改良された接続解放工程を提供し、ＵＥが接続モードを離れる時、ＭＢＭＳサービスの起動を維持する。
【００１６】
図３は、本発明の実施形態による移動通信環境を示す図である。移動通信環境３００中、移動通信装置３１０は、無線方式で、サービスネットワーク３２０のセルラー局３２２に接続され、無線サービスを得る。一般に、セルラー局３２２は、基地局、又は、アクセス局と称される。移動通信装置３１０は、無線モジュール３１２を有し、セルラー局３２２への無線伝送とセルラー局３２２からの受信の機能を実行する。更に明確にするため、無線モジュール３１２は、ベースバンドユニット（図示しない）と無線周波数（ＲＦ）ユニット（図示しない）からなる。ベースバンドユニットは、複数のハードウェア装置を含み、アナログデジタル変換（ＡＤＣ）／デジタルアナログ変換（ＤＡＣ）、利得調整、変調／復調、符号化／復号化等を含むベースバンド信号処理を実行する。ＲＦユニットは、ＲＦ無線信号を受信し、受信されたＲＦ無線信号をベースバンド信号に転換し、ベースバンド信号は、ベースバンドユニットにより処理される、又は、ベースバンドユニットから、ベースバンド信号を受信、及び、受信されたベースバンド信号をＲＦ無線信号に転換し、ＲＦ無線信号は、後に伝送される。ＲＦユニットは、複数のハードウェア装置を含み、無線周波数変換を実行する。例えば、ＲＦユニットは、ミキサーを有し、無線通信システムの無線周波数で発振するキャリアにより、ベースバンド信号を多重化し、無線周波数は、ＷＣＤＭＡシステムに用いられる９００ＭＨｚ、１９００ＭＨｚ、又は、２１００ＭＨｚか、又は、ＬＴＥシステムに用いられる９００ＭＨｚ、２１００ＭＨｚ、又は、２．６ＧＨｚ、又は、使用する無線アクセス技術（ＲＡＴ）に基づいて適用されるその他の周波数である。また、移動通信装置３１０は、更に、コントローラーモジュール３１４を有し、無線モジュール３１２と別の機能部品の操作を制御し、機能部品は、例えば、ディスプレイユニット、及び／又は、ＭＭＩ（マンマシンインターフェース）となるキーパッド、アプリケーション、又は、通信プロトコルのプログラムコード等を保存するストレージユニットである。一例中、サービスネットワーク３２０はＷＣＤＭＡネットワークで、移動通信装置３１０は、２４．００８仕様とＷＣＤＭＡ技術のその他の関連仕様に準拠するＵＥである。別の実施形態中、サービスネットワーク３２０はＬＴＥネットワークで、移動通信装置３１０は、３ＧＰＰ  ＴＳ  ２４．３０１仕様とＬＴＥ技術のその他の関連仕様に準拠するＵＥである。或いは、移動通信装置３１０は、ＷＣＤＭＡとＬＴＥ通信プロトコルの仕様両方に準拠するＵＥで、本発明はこれに限定されない。
【００１７】
更に詳しくは、コントローラーモジュール３１４は、無線モジュール３１２を制御し、セルラー局３２２により、サービスネットワーク３２０と、接続解放工程を実行する。
【００１８】
図４は、本発明の実施形態による接続解放工程を示すメッセージシーケンスチャートである。図４で示されるように、接続解放工程は、セルラー局３２２から解放される原因を含む接続解放要求メッセージを受信することにより開始される（ステップＳ４１０）。次に、任意のＭＢＭＳサービスが進行中の場合、コントローラーモジュール３１４は、ＭＢＭＳサービスに対応する無線リソースが確立されたかを判断する。注意すべきことは、接続解放工程の前、コントローラーモジュール３１４は、セルラー局３２２から、無線モジュール３１２により、受信されたシステム情報、例えば、ＷＣＤＭＡネットワークのＳＩＢ（システム情報ブロック）−１とＳＩＢ−３、又は、ＬＴＥネットワークのＳＩＢ−１を有することである。本実施形態中、ＭＢＭＳサービスに対応する少なくとも一つの無線リソースが確立されたか判断し（ステップＳ４２０）、コントローラーモジュール３１４は、ＭＢＭＳサービスの無線リソースを、非解放状態に維持すると共に、ＭＢＭＳサービス以外の別の全部の確立された無線リソースを解放する（ステップＳ４３０）。ＭＢＭＳサービスの無線リソースを、非解放状態に維持する（ステップＳ４２０）以外に、ＭＢＭＳサービスに対応する少なくとも一つの無線リソースが確立されたかを判断するのに応答し、コントローラーモジュール３１４は、通常の接続解放工程で処理されて、接続の解放を完成する。つまり、コントローラーモジュール３１４は、リソース解放工程を実行し、ＭＢＭＳコンテクスト以外の確立されたＰＤＰコンテクストと論理リンクを解放する。確立された無線リソースの解放は、ＲＬＣ実体の解放、ＭＡＣ設定値、及び、全確立された無線ベアラに相関するＰＤＣＰ実体を含む。接続解放工程を完成するため、全確立された無線リソースの解放に加え、移動通信装置は、更に、例えば、ＭＡＣをリセットし、特定のタイマー、例えば、タイマーＴ３２０以外の全ての活動中の全タイマーを停止し、３ＧＰＰ  ＴＳ  ３６．３３１に定められている解放の原因により、上層にＲＲＣ接続の解放を表示する。リソース解放工程終了後、コントローラーモジュール３１４はアイドルモードに移行し（Ｓ４４０）、接続解放工程が終了する。注意すべきことは、解放されたＰＤＰコンテクストと論理リンクは、接続解放工程の前の接続確立工程で、既に確立されていることである。起動後、移動通信装置３１０は、接続確立工程を実行し、サービスネットワーク３２０を接続し、ＰＤＰコンテクスト、ＭＢＭＳコンテクスト、及び、論理リンクを確立し、相関するパケットデータサービスをサービスネットワーク３２０から得る。
【００１９】
図５は、本発明の実施形態による移動通信装置によりネットワーク初期化接続解放工程を処理する方法を示すフローチャートである。本実施形態中、移動通信装置は、無線方式で、接続解放工程を初期化するサービスネットワークのセルラー局に接続される。サービスネットワークは、様々な原因で、接続解放工程を初期化し、その原因は、ユーザー装置とコアネットワーク間のトランザクションの完成、詳細不明のエラー、ユーザーの不動作、ＵＥとの間の無線接続喪失等である。
【００２０】
まず、移動通信装置は、セルラー局から、接続解放メッセージを受信する（ステップＳ５１０）。接続解放メッセージに応答して、移動通信装置は、接続解放工程の実行を準備する。次に、接続解放工程を実行する時、移動通信装置は、ＭＢＭＳサービスに対応する任意の無線リソースが確立されたか判断する（ステップＳ５２０）。その場合、移動通信装置が、現在、少なくとも一つのＭＢＭＳサービスを受信していることを意味し、よって、移動通信装置は、ＭＢＭＳサービスの無線リソースを、非解放状態に維持し、ＭＢＭＳサービス以外の全ての別の確立された無線リソースを解放し（ステップＳ５３０）、更に、ステップＳ５５０が実行される。ＭＢＭＳサービスに対応する無線リソースが確立されないと判断する場合（ステップＳ５２０中で否）、移動通信装置中で、ＭＢＭＳサービスが進行していないことを意味する。よって、移動通信装置は全確立された無線リソースを解放し（ステップＳ５４０）、更に、ステップＳ５５０が実行される。注意すべきことは、全確立された無線リソースの解放は、ＲＬＣ実体、ＭＡＣ設定値と全確立された無線ベアラに関連するＰＤＣＰ実体の解放を含むことである。接続解放工程を完成するため、全確立された無線リソースの解放に加え、移動通信装置は、更に、ＭＡＣをリセットし、特定のタイマー以外の全ての活動中の全タイマーを停止し、３ＧＰＰ  ＴＳ  ３６．３３１に定められている解放の原因により、上層にＲＲＣ接続の解放を表示する。上述の操作の全てが完成後、ステップＳ５５０中、移動通信装置は、アイドルモードに移行し、接続解放工程が終了する。アイドルモードに移行後、ＭＢＭＳサービスの無線リソースがまだ解放されていないので、移動通信装置は、同じＭＢＭＳサービスを得る。よって、ＭＢＭＢＳサービスの無線リソースの再セットアップは不要である。
【００２１】
注意すべきことは、接続解放工程の前、移動通信装置は、セルラー局から受信されたシステム情報を有し、システム情報は、どのセルがどのＭＢＭＳサービスを提供するかを表示することである。接続モードを離れる時、移動通信装置は、適当なセル上で留まり、必要なアイドルモードタスクを実行する。接続モードからアイドルモードへの遷移で、移動通信装置は、正常に、連接されたセルの選択を試み、例えば、それが接続モード下の最後のセル、又は、セル／セル組の任意のセル、又は、状態遷移メッセージで、ＲＲＣにより割り当てられる周波数の任意のセル上で留まるように試みる。移動通信装置は、例えば、その最後に連接されるセルを選択して留めるか、又は、同じＭＢＭＳサービスを提供するセルを選択して留める。注意すべきことは、移動通信装置は、前の測定結果から、どのセルが同じＭＢＭＳサービスを提供するか識別することである。別の実施形態中、移動通信装置は、どのセルが前に訪れたかに関する情報により、どのセルが同じＭＢＭＳサービスを提供するかを識別する。別の実施形態中、サービスネットワークは、ＲＲＣ接続解放メッセージにより、移動通信装置を同じＭＢＭＳサービスを提供するセルにリダイレクトする。別の実施形態中、移動通信装置は、サービスネットワークから受信される特定のメッセージにより、どのセルが同じＭＢＭＳサービスを提供するか識別する。特定のメッセージは、例えば、システム情報、ＲＲＣ接続再設定メッセージ、ＲＲＣ解放メッセージ、又は、ＭＢＭＳ専用メッセージ（例えば、ＭＢＳＦＮＡｒｅａＣｏｎｆｉｇｕｒａｔｉｏｎメッセージ）であるが、これに限定されない。
【００２２】
注意すべきことは、適当なセルが見つからない場合、適当なセルを見つけて留めるために、移動通信装置は、保存された情報セル選択工程により、更に、セル選択を実行することである。ある実施形態中、接続解放メッセージは、移動通信装置に向けての情報を含み、特定の周波数上のセルを検索する。この場合、移動通信装置は、通常のアイドルモード操作、つまり、ページング監視、システム情報の獲得、セル再選択を実行する。
【００２３】
本方法は、例えば、磁気テープ、半導体、磁気ディスク、光ディスク（ＣＤ−ＲＯＭ、ＤＶＤ−ＲＯＭ等）の機械可読ストレージ媒体に保存されるプログラムコードで実行され、図３中の処理ユニット、マイクロコントローラーユニット（ＭＣＵ）、又は、コントローラーモジュール３１４によりロード、及び、実行される時、プログラムコードは、ネットワーク初期化接続解放工程を処理する方法を実行する。この他、本方法は、ＷＣＤＭＡ技術、及び／又は、ＬＴＥ技術をサポートする移動通信装置に適用される。
【００２４】
本発明では好ましい実施例を前述の通り開示したが、これらは決して本発明に限定するものではなく、当該技術を熟知する者なら誰でも、本発明の精神と領域を脱しない範囲内で各種の変動や改良を加えることができ、従って本発明の保護範囲は、特許請求の範囲で指定した内容を基準とする。
【符号の説明】
【００２５】
３００  移動通信環境
３１０  移動通信装置
３１２  無線モジュール
３１４  制御モジュール
３２０  サービスネットワーク
３２２  セルラー局
【図１】
2011199869.tif 000003
【図２】
2011199869.tif 000004
【図３】
2011199869.tif 000005
【図４】
2011199869.tif 000006
【図５】
2011199869.tif 000007
【外国語明細書】
2011199869000001.pdf
2011199869000002.pdf
2011199869000003.pdf
2011199869000004.pdf